(57)【要約】【課題】  遮光を要する部分にのみ遮光することが可能で、且つ光量の調節を簡便に可能とする遮光装置の提供。【解決手段】  遮光網と支柱からなり、前記遮光網は前記遮光網の左右に所定の間隔をもって配置される複数対のはと目を有し、前記支柱は水平棒体と地面に突き立てられる一対の垂直棒体とからなり、前記一対の垂直棒体は互いに平行に配置されるとともに前記水平棒体に対して直角に取り付けられ、前記垂直棒体の先端部が前記はと目に挿入されることを特徴とする遮光装置である。【選択図】  図１
2005058046.tif 000002
【特許請求の範囲】
【請求項１】
園芸に用いられる遮光装置であって、遮光網と支柱からなり、前記遮光網は前記遮光網の左右に所定の間隔をもって配置される複数対のはと目を有し、前記支柱は水平棒体と地面に突き立てられる一対の垂直棒体とからなり、前記一対の垂直棒体は互いに平行に配置されるとともに前記水平棒体に対して直角に取り付けられ、前記垂直棒体の先端部が前記はと目に挿入されることを特徴とする遮光装置。
【請求項２】
前記遮光網は、該遮光網の上下及び前記はと目の周辺に配置され、所定の厚みを有する可撓性材料からなる取付部と、上端に位置する前記取付部と下端に位置する前記取付部を繋ぐ複数本の可撓性材料からなる縦糸と、可撓性材料からなるとともに平糸状である遮光糸と、可撓性材料からなるとともに前記遮光糸よりも細く形成された通光糸とからなり、前記遮光糸がその帯幅面を遮光網の面と平行にして所定の間隔をあけて縦糸の間を蛇行して配されることにより遮光部を形成し、前記通光糸が縦糸の間を所定の間隔をあけて蛇行して配されることにより通光部を形成していることを特徴とする請求項１記載の遮光装置。
【請求項３】
前記遮光部と前記通光部が市松模様状に配されていることを特徴とする請求項２記載の遮光装置。
【発明の詳細な説明】
【技術分野】
【０００１】
本発明は、園芸に用いられる遮光装置に関し、より詳しくは取付自在で、その取付角度を変更することによって簡便に遮光率を変更可能な遮光装置に関する。
【背景技術】
【０００２】
園芸植物を過度の日差しや暑さから守るために遮光ネットが用いられる。従来の遮光ネットは縦糸と横糸を所定等間隔に隔てて編みこまれるものであった。このような遮光ネットにおいては、網目がいずれの箇所においても一定間隔であり、遮光ネットの網目から採光される光量が常に一定であった。
しかしながら、このような遮光ネットの場合、農作物の生育に適した光量に調節しようとするとき、遮光ネットの一部又は全部に不透明な遮光用シートを更に被覆して光量を減少させる必要があった。
このような不便を解決するために、伸縮性を有する素材からなる糸を編むことによって形成された遮光ネットが特許文献１に提案されている。
特許文献１に開示される遮光ネットは、編みこまれた糸を長さ方向に沿って伸張させることにより各糸の間隔を任意に変更可能とすることによって、光量を調節可能としたものであるが、遮光ネットを伸張するための装置を必要とするものであった。
更には遮光ネットの張り方においても、従来は特許文献２に開示されるように、遮光網の周縁部に設けられたはと目に紐の一端を通し、該紐の他端を遮光網が配置される場所の周囲にある杭などに結わえて、遮光網を地面に平行に張るものであった。
しかしながら、遮光ネットの面積は一定であり、遮光ネットの面積に対して、遮光を要する部分が小さいときには不必要に遮光ネットを広げて張ることとなっていた。
【０００３】
【特許文献１】特開平６−１５３７１０号公報
【特許文献２】特開２０００−３２８５６号公報
【発明の開示】
【発明が解決しようとする課題】
【０００４】
本発明はかかる問題を解決するためになされたものであって、遮光を要する部分にのみ遮光することが可能で、必要以上に遮光網を広げて張ることなしに遮光網を張ることが可能であり、且つ光量の調節を従来の遮光装置と較べてより簡便に可能とする遮光装置を提供することを目的とする。
【課題を解決するための手段】
【０００５】
請求項１に係る発明は、園芸に用いられる遮光装置であって、遮光網と支柱からなり、前記遮光網は前記遮光網の左右に所定の間隔をもって配置される複数対のはと目を有し、前記支柱は水平棒体と地面に突き立てられる一対の垂直棒体とからなり、前記一対の垂直棒体は互いに平行に配置されるとともに前記水平棒体に対して直角に取り付けられ、前記垂直棒体の先端部が前記はと目に挿入されることを特徴とする遮光装置に関する。
請求項２に係る発明は、前記遮光網は、該遮光網の上下及び前記はと目の周辺に配置され、所定の厚みを有する可撓性材料からなる取付部と、上端に位置する前記取付部と下端に位置する前記取付部を繋ぐ複数本の可撓性材料からなる縦糸と、可撓性材料からなるとともに平糸状である遮光糸と、可撓性材料からなるとともに前記遮光糸よりも細く形成された通光糸とからなり、前記遮光糸がその帯幅面を遮光網の面と平行にして所定の間隔をあけて縦糸の間を蛇行して配されることにより遮光部を形成し、前記通光糸が縦糸の間を所定の間隔をあけて蛇行して配されることにより通光部を形成していることを特徴とする請求項１記載の遮光装置に関する。
請求項３に係る発明は、前記遮光部と前記通光部が市松模様状に配されていることを特徴とする請求項２記載の遮光装置に関する。
【発明の効果】
【０００６】
請求項１記載の発明によれば、遮光網の左右に配置されるはと目に支柱の先端を挿入することによって簡便に遮光網を取り付け可能である。
また、遮光網の左右に設けられた複数対のはと目のいずれに支柱の先端を挿入するかにより、また使用する支柱の本数の選択により、任意に遮光網の取付形態を変更可能である。したがって、任意に遮光面積の調整が可能であり、遮光網を必要以上に広げることなしに張ることができ、省スペースを実現できる。
請求項２記載の発明によれば、遮光網の平糸状の遮光糸がその帯幅面を遮光網の面と平行にして所定の間隔をあけて配されるので、適度な遮光を達成できるとともに、遮光網の取付形態の変更により、光量の調節が簡便に変更可能となる。
請求項３記載の発明によれば、通光部と遮光部が市松模様状に配置されているので、局所的な通光及び遮光を防ぐことができ、比較的均一な通光或いは遮光を達成できる。
【発明を実施するための最良の形態】
【０００７】
本発明の実施形態について、図面を参照しつつ説明する。
図１は、本発明にかかる遮光網（１）の概略図である。図１（ａ）は遮光網（１）を正面から見た図であり、図１（ｂ）は遮光網（１）を側方から見た図である。
遮光網（１）は取付部（２）、ネット部（３）とはと目（４）で構成される。
遮光網（１）の周縁部には、はと目（４）が所定の間隔をもって配置される。使用時にはと目（４）に紐などを通して固定などすることが可能となり、簡便に遮光網（１）の取付を行うことが出来る。
ネット部（３）は遮光部（５）（図１中黒塗り部）と通光部（６）（図１中白塗り部）で構成され、遮光部（５）と通光部（６）とは交互に配列され、市松模様状に配置されている。
遮光部（５）は平糸状の遮光糸（７）と縦糸（９）で構成され、通光部（６）は遮光糸（７）よりも細く形成された通光糸（８）と縦糸（９）で構成される（図２参照）。
【０００８】
取付部（２）は遮光網（１）の上下及びはと目（４）周辺に配置される。また取付部（２）は所定の厚みを有し、可撓性の合成樹脂からなる。遮光網（１）の上下に配置された取付部（２）は遮光網（１）の上下端を補強し、遮光網（１）を破れにくくしている。これにより、遮光網（１）を取付けるときに遮光網上下方向に引っ張るように取付けることを可能としている。
本実施例においては取付部（２）の厚さは約３ｍｍに形成されている。
取付部（２）はその厚み面（２１）で、遮光網（１）平面に配置される遮光糸（７）、通光糸（８）及び縦糸（９）を挟持し、ネット部（３）端部を保持する（図１（ｂ）参照）。
取付部（２）上のはと目（４）は環状の金属体であり、遮光網（１）の周縁部に所定の間隔をもって配置される。はと目（４）の周辺には取付部（２）が配置されている。
はと目（４）が金属からなるので、遮光網（１）取付時にはと目に紐などを通しても取付部（２）の損傷を防ぐことができる。本実施例においては、はと目（４）の内径は約１０ｍｍに形成されている。
またはと目（４）の周辺には所定の厚みを有する取付部（２）が配置されているので、はと目を介して遮光網（１）を取り付けたときに加わる負荷によって、遮光網（１）の破れを回避することが出来る。
【０００９】
図２にネット部（３）の拡大図を示す。
ネット部（３）は遮光糸（７）、通光糸（８）及び縦糸（９）から構成される。遮光糸（７）、通光糸（８）及び縦糸（９）は可撓性の合成樹脂から形成される。
縦糸（９）はネット部（３）の上端に位置する取付部（２）と下端に位置する取付部（２）を繋ぎ、縦糸（９）の両端は該上下端に位置する取付部（２）により挟持されている。
また遮光網（１）の左右端に位置する縦糸（９）は遮光網（１）の左右端に配置されたはと目（４）の周辺に設けられた取付部（２）によっても挟持されている。
縦糸（９）は上下端に位置する取付部（２）に沿って所定の間隔をもって複数本平行に配置されている。本実施例においては、縦糸（９）の間隔は約８ｍｍに形成されている。
また縦糸（９）は複数本の線状糸材からなり、該複数本の線状糸材を撚ることにより形成され、撚り目に遮光糸（７）及び通光糸（９）が係合する。
更に複数本の線状糸材を撚ることによって縦糸の強度が増し、遮光網（１）の上下方向の引っ張りに対して遮光網（１）が破れることを防いでいる。また遮光網（１）の左右端に位置する縦糸（９）の遮光網（１）の左右端に生ずるせん断力に対しての強度も向上するので、遮光網（１）は破れにくくなる。
【００１０】
遮光糸（７）は薄い平糸状であり、横に広がる帯幅面を遮光網（１）の面と平行にして配置される。本実施例においては遮光糸（７）の帯幅面の幅は約１ｍｍに形成されている。
遮光糸（７）は２本の縦糸（９）の間を、上方から下方に向かって、所定の間隔をもって略Ｍ字形状を描くようにして蛇行している。これにより１つの遮光部（５）が形成される。本実施例においては隣合う遮光糸（７）の間隔は約２．５ｍｍに形成されている。
そして、遮光糸（７）は前述の２本の縦糸（９）のうち一方と該縦糸（９）と隣合う他のもう一本の縦糸（９）との間で形成される空間を同様に蛇行する。このようにして複数の遮光部（５）が形成される。
【００１１】
通光糸（８）は遮光糸（７）よりも細く形成されている。本実施例においては、断面直径約０．３ｍｍの糸を用いている。
同様にして、通光糸（８）は２本の縦糸（９）の間を、上方から下方に向かって、所定の間隔をもって略Ｍ字形状を描くようにして蛇行し、通光部（６）を形成する。本実施例においては隣合う通光糸（８）の間隔は２．５ｍｍに形成されている。
このように形成された遮光部（５）と通光部（６）とは縦横に交互に配列され、ネット部（３）上に市松模様状に配置される。
【００１２】
上述のように、平糸状の遮光糸（７）の帯幅面を遮光網（１）の面と平行にして配置されているので、遮光部（５）はほとんど光を通過させない。
一方で通光糸（８）は極めて細く形成されているので、光を僅かに遮るのみである。
このように異なる遮光率を有する部分を交互に配置することによって、局所的な遮光を防ぎ、遮光網一面に渡って比較的均一な遮光機能を発揮することを可能としている。
【００１３】
図３に、本発明にかかる遮光網（１）の遮光率の変更の実施形態を示す。図３中には２つの遮光部（５）を取り出し、それぞれ遮光部（５）の断面を示している。図３において光は上下方向に照射されているものとする。図３において、上側に示される遮光部（５ａ）は光の照射方向に対して垂直に配され、下側に示される遮光部（５ｂ）は光の照射方向に対して傾斜して配されている。
上述の如く遮光糸（７）は平糸状であり、その帯幅面を遮光網（１）の面と平行に所定の間隔をもって蛇行して配置される。したがって、蛇行して隣合う遮光糸（７）の間には光を通過させる隙間（７１）が形成される。
図３に示すように、遮光部（５）が光の照射方向に対して垂直に配置されているときは、隙間（７１）は光の照射方向に対して大きな開口部を有することとなる。
一方で、遮光部（５）が光の照射方向に対して傾斜して配置されているときは、隙間（７１）は光の照射方向に対して狭い開口部を有することとなる（図３中符号Ｘで示される）。
したがって、遮光網（１）が光の照射方向に対して垂直に配置されるとき、遮光網（１）は低い遮光率を有し、遮光網（１）が光の照射方向に対して傾斜して配置されるときは高い遮光率を有することとなる。
実際の園芸に用いられるときは、遮光率を下げたいならば、地面と水平に遮光網（１）を設置すればよく、遮光率を上げたいならば、遮光網（１）を地面に対して傾斜させて取り付ければよい。
尚、遮光網（１）は上述の如く取付部（２）とネット部（３）が可撓性の材料からなり、折り畳み可能であるので、遮光網（１）を折り畳んで使用することによっても遮光率を上げることが可能である。
【００１４】
図４に本発明に係る支柱（１０）を示す。図４左図は支柱（１０）の組立図であり、図４右図は支柱の組立に用いられる継ぎ手（１２）を示す。
支柱（１０）は３本の剛性を有する細長い円柱形状の棒体からなり、１本は地面から所定の距離を離して、地面と水平に配置される水平棒体（１０ａ）であり、残りの２本は水平棒体（１０ａ）の端部とそれぞれ直角に接続し、互いに平行に配置される一対の垂直棒体（１０ｂ）である（図４左図参照）。水平棒体（１０ａ）と一対の垂直棒体（１０ｂ）との接続には２つの円筒管からなる継ぎ手（１２）が好適に用いられる。
継ぎ手（１２）内を水平棒体（１０ａ）及び垂直棒体（１０ｂ）が所定の力で摺動可能とすることで、支柱（１０）の組立形態を容易に変更可能となる。
垂直棒体（１０ｂ）の少なくとも先端部は遮光網（１）に設けられるはと目（４）に挿入可能なようにはと目（４）の径よりも細く形成される。より好ましくははと目（４）の径よりも若干小さく形成されることが好ましい。本実施例においては、垂直棒体（１０ｂ）の先端部は直径約９ｍｍの円柱形状をしている。
尚、水平棒体（１０ａ）は本発明に係る遮光網（１）の幅より長く形成されている。
このようにして支柱（１０）は略コの字形状に簡易に組立てられる。
【００１５】
図５は本発明に係る遮光網（１）及び支柱（１０）を用いた遮光網（１）の取付形態を示す。尚、図１に示される遮光網（１）の上下方向は、図５において左右方向になっている。本明細書中「遮光網（１）の上下端」という「用語」は図１に示す遮光網（１）の上下端をいうものとする。
図５に示す取付形態において用いられる遮光網（１）には、図１に示すように遮光網（１）の左右側に一列に所定の間隔で配置された５対のはと目（４）が設けられている。
図５（ａ）及び（ｂ）において、使用される支柱（１０）は一つである。
図５（ａ）において、支柱（１０）の水平棒体（１０ａ）は遮光網（１）の中間位置に配置された一対のはと目（４）を横切るように配置される。該はと目（４）に一対の垂直棒体（１０ｂ）の先端が挿入され、遮光網（１）はその中間位置において支柱（１０）上に固定される。支柱（１０）の下端は地面に突き刺され固定されている。
そして遮光網（１）は水平棒体（１０ａ）を頂点として下方に折り曲げられている。また、遮光網（１）の端部は地面から上方にあり、遮光網（１）の上下端に設けられたはと目に紐（１１）が結び付けられている。該ひも（１１）の他端は輪状に形成され、該輪にペグが打ち込まれ、地面に固定されている（いずれも図示せず）。該ひも（１１）は遮光網（１）に張力を与え、遮光網（１）のたるみを防いでいる。
図５（ｂ）は図５（ａ）に示される遮光網（１）を更に下方へ折り曲げ、遮光網（１）の上下端に配置された取付部（２）（図１参照）が地面に接地するようにし、該取付部（２）に設けられたはと目（４）にそれぞれペグが打ち込まれ、地面に固定されている。
図５（ａ及びｂ）に示すように、支柱（１０）を頂点として、遮光網（１）を折り曲げて、また該折り曲げ角度を変更することによって、遮光を要する部分にのみ遮光することが可能である。したがって、不必要に遮光網（１）を水平方向に広げる必要はなく、省スペースを実現できる。
また、図５（ｂ）に示す遮光網（１）の取付形態は、図５（ａ）に示す遮光網（１）の取付形態と較べて大きな傾斜をもって取付けられる。上述のごとく、大きな傾斜をもって取付けられると遮光率は高くなるので、大きな遮光率を望む場合は図５（ｂ）に示す取付形態が好ましい。一方で、遮光率を下げたい場合には図５（ａ）に示すような取付形態にすればよい。
【００１６】
図５（ｃ）及び（ｄ）は共に、遮光網（１）を地面と平行に張る取付形態を示す。
図５（ｃ）において、３つの支柱（１０）が用いられる。各支柱（１０）は地面から垂直に突き立てられている。このとき各支柱（１０）の垂直棒体（１０ａ）を横切る平面は地面と水平にされている。
また、支柱（１０）は遮光網（１）の上下端に配置されたはと目（４）及び遮光網（１）の中間位置に設けられたはと目（４）をそれぞれ横切る。そして、図５（ａ及びｂ）の取付形態と同様にして、各はと目（４）に垂直棒体（１０ｂ）の先端が挿入され、遮光網（１）は３本の支柱（１０）上で固定される。また図５（ａ及びｂ）と同様に、遮光網（１）のたるみを防ぐために、遮光網（１）の上下端に設けられたはと目（４）はひも（１１）で結わえられ、該ひも（１１）の他端は輪状に形成され、該輪にペグが打ち込まれている。
このようにして、遮光網（１）は地面から所定の距離をもって地面と水平に配置される。
本発明においては、遮光網（１）を張りたい場所の周囲に遮光網（１）を取付けるための杭や柱等がない場合においても、上記のように簡易に組立可能な支柱（１０）によって簡便に遮光網（１）を取付可能となっている。
【００１７】
図５（ｄ）は図５（ｃ）と同様に遮光網（１）を地面と水平に配置する取付形態を示すものであるが、図５（ｄ）においては２つの支柱（１０）が用いられる。
図５（ｄ）において１つの支柱（１０）は地面に対して所定の傾斜角度をもって上方に突き立てられている。他方の支柱（１０）は前記支柱（１０）と同一の傾斜角度をもって前記支柱（１０）と逆方向に上方に突き立てられている。また、２つの支柱（１０）の下端における互いの距離は近接し、上方に向かって離れていく。さらに、２つの支柱（１０）の水平棒体（１０ａ）を含む平面は地面に対して水平となっている。
２つの支柱（１０）の水平棒体（１０ａ）は遮光網（１）の上下端に配置されるはと目（４）を横切り、上記取付形態と同様にして、遮光網（１）は支柱（１０）上に取付けられる。また、遮光網（１）の上下端に配置されたはと目（４）には、上記取付形態と同様にして、ひも（１１）が結ばれ、該ひも（１１）は地面に固定されるとともに遮光網（１）に張力を与え、遮光網（１）のたるみを防いでいる。
このような取付形態において、支柱（１０）は遮光網（１）に対して傾斜しているので、遮光網（１）に張力を与え、更に遮光網（１）がたるみにくくなっている。また風などによる外力が、図５において左右方向から加わったときでも２つの支柱（１０）はそれぞれ左右方向からの外力に対して対向するように傾斜しているので、支柱（１０）及び遮光網（１）は倒れにくくなっている。
また、用いる支柱（１０）の数２本であるので、図５（ｃ）で示す取付形態よりも支柱（１０）下端の地面への埋設工程を省力化できる。
【００１８】
図５（ｅ）は図５（ｄ）に示す取付形態の応用例である。
図５（ｄ）の取付形態と同様にして２本の支柱（１０）は傾斜した角度で取付けられている。図５（ｄ）に示す取付形態と異なるのは、支柱（１０）の水平棒体（１０ａ）が遮光網（１）の中間位置にあるはと目（４）と上下端にあるはと目（４）の間にあるはと目（４）を横切る点である。
このような取付形態において、遮光網（１０）の中央部は地面に対して水平に配置される一方で、支柱（１０）の水平棒体（１０ａ）を境にして、遮光網（１）の上下端付近は下方に折り曲げられる。遮光網（１）の上下端の折り曲げ角度は遮光網（１）の上下端に設けられたはと目（４）に結び付けられたひも（１１）の地面との固定位置によって定められる。
図５（ｅ）に示す取付形態においては、遮光網（１）の地面からの取付高さをある程度維持しつつ、遮光網（１）の上下端側を支柱（１０）の挿入されたはと目を頂点として折り曲げることによって、遮光の必要な部分にのみ遮光することが可能となる。
また、日中において上方から照射される日光及び夕方において斜め上方から照射される日光に対して、最小の遮光率を発揮することができる。
【００１９】
図５（ａ乃至ｅ）の取付形態を組合わせることによって、遮光網（１）の様々な取付形態を実現可能である。即ち、遮光網（１）に設けられたいずれのはと目（４）に支柱（１０）を挿入するかによって遮光網（１）の取付形態を変更可能である。
上記説明においては、５対のはと目（４）が設けられた遮光網（１）が用いられたが、はと目（４）の数はこれに限定されるものではない。はと目（４）が多く設けられた遮光網（１）を用いることによって、より多くの遮光網（１）の取付形態の実現が可能となる。
また、用いる支柱（１０）の数、支柱（１０）の水平棒体（１０ａ）の地面から高さの変更によっても様々な遮光網（１）の取付形態が実現できる。
本発明に係る支柱（１０）は遮光網（１）と分離して取付けられるため、遮光網（１）の大きさにかかわらず、様々な大きさの遮光網（１）に適用可能である。
本発明に係る支柱（１０）においては、遮光網（１）の取付のための様々な応用が考えられる。
例えば、支柱（１０）の垂直棒体（１０ｂ）の先端にキャップ若しくはナットを取付可能とし、遮光網（１）を支柱（１０）に取付けた状態で、キャップ若しくはナットにて、上方から遮光網（１）を押えたりすることもできる。
また、支柱（１０）の垂直棒体（１０ｂ）の下端を鋭角に形成することによって、地面へ突立てやすくすることも出来る。
【００２０】
このようにして、遮光網（１）と３本の棒体からなる支柱（１０）という極めて簡易な構成を有する遮光装置は簡便に取付形態を変更することが可能であり、遮光網（１）に設けられたいずれのはと目（４）に支柱（１０）を挿入するかによって、遮光面積や取付形態が変更可能であり、また容易に所望の遮光率を発揮することができる。
【産業上の利用可能性】
【００２１】
本発明は、園芸に用いられる遮光装置に好適に適用される。
【図面の簡単な説明】
【００２２】
【図１】本発明にかかる遮光網の概略図である。（ａ）は遮光網を正面から見た図であり、（ｂ）は遮光網を側方から見た図である。
【図２】本発明に係るネット部の拡大図である。
【図３】本発明に係る本発明にかかる遮光網の遮光率の変更の実施形態を示す図である。
【図４】本発明に係る支柱を示す図である。
【図５】本発明に係る遮光網及び支柱を用いた遮光網の取付形態を示す図である。（ａ）乃至（ｅ）はそれぞれ異なる遮光網の取付形態を示す。
【符号の説明】
【００２３】
１・・・・・遮光網
２・・・・・取付部
４・・・・・はと目
５・・・・・遮光部
６・・・・・通光部
７・・・・・遮光糸
８・・・・・通光糸
９・・・・・縦糸
１０・・・・支柱
１０ａ・・・水平棒体
１０ｂ・・・垂直棒体
【図１】
2005058046.tif 000003
【図２】
2005058046.tif 000004
【図３】
2005058046.tif 000005
【図４】
2005058046.tif 000006
【図５】
2005058046.tif 000007